(57)【要約】【課題】利用者が滞在している地域における放送局についての知識を有さない場合でも、短時間で容易に所望のチャンネルを選局することができる。【解決手段】マイコン１７は、このＣＨ配列表を作成するために、上記の総選局時間のデータの送信をターミナルボックス３０を介してサーバ４０に要求する。これにより、その時点の時刻が含まれる時間帯における前記の各ＣＨの総選局時間のデータを入手する。マイコン１７が図２の表に示す総選局時間のデータを入手した場合、選局順を総選局時間の長い順番としたＣＨ配列表を作成し、メモリ１８がこれを記憶する。【選択図】図２
2008219260.tif 000002
【特許請求の範囲】
【請求項１】
複数のチャンネルが受信可能であり、該複数のチャンネルに選局順が設定されるテレビジョン受像機を用いるテレビジョンシステムであって、
前記各チャンネル毎の総選局時間を算出する統計手段を具備し、
前記総選局時間に基づいて前記選局順が設定されることを特徴とするテレビジョンシステム。
【請求項２】
前記総選局時間の長い順に前記選局順が設定されることを特徴とする請求項１に記載のテレビジョンシステム。
【請求項３】
前記テレビジョン受像機の電源オン時に、前記総選局時間が最も長いチャンネルが前記テレビジョン受像機において選局されることを特徴とする請求項１または２に記載のテレビジョンシステム。
【請求項４】
前記総選局時間は、１日における時間帯毎に算出されることを特徴とする請求項１乃至３のいずれか１項に記載のテレビジョンシステム。
【請求項５】
前記１日における時間帯は、１週間における曜日毎に設定されることを特徴とする請求項４に記載のテレビジョンシステム。
【請求項６】
前記テレビジョンシステムにおいて、前記統計手段は、前記テレビジョン受像機とネットワークを介して接続されるサーバであることを特徴とする請求項１乃至５のいずれか１項に記載のテレビジョンシステム。
【請求項７】
前記サーバはターミナルボックスを介して前記テレビジョン受像機と接続されることを特徴とする請求項６に記載のテレビジョンシステム。
【請求項８】
前記テレビジョンシステムはホテルに設置され、
前記テレビジョン受像機が前記ホテルにおける客室毎に設置されることを特徴とする請求項６または７のいずれか１項に記載のテレビジョンシステム。
【請求項９】
前記総選局時間は前記ホテルにおける客室の種別毎に算出されることを特徴とする請求項８に記載のテレビジョンシステム。
【請求項１０】
前記総選局時間は前記ホテルにおける利用客の属性情報に応じて算出されることを特徴とする請求項８に記載のテレビジョンシステム。
【請求項１１】
前記属性情報には前記ホテルにおける利用客の年齢、性別、住所、または自宅電話番号の市外局番のうちの少なくとも１種が含まれることを特徴とする請求項１０に記載のテレビジョンシステム。
【請求項１２】
地域毎の放送局の系列関係を示すデータを保持し、客室の利用客の住所のデータより、前記放送局の系列関係を示すデータにおける前記利用客の住所が属する地域を判定し、前記ホテルの所在地と前記利用客の住所が属する地域との間の放送局の系列関係を示す系列放送局対応情報を出力する対応情報出力手段と、
前記系列放送局対応情報を記憶する記憶手段と、
前記テレビジョン受像機においてチャンネルが指定される際に、前記系列放送局対応情報より、前記チャンネルに対応する放送局と前記地域において系列関係にある放送局の識別情報である系列放送局識別情報を抽出する系列放送局検索手段とを具備し、
前記テレビジョン受像機は、前記系列放送局識別情報を表示することを特徴とする請求項８乃至１１のいずれか１項に記載のテレビジョンシステム。
【請求項１３】
前記対応情報出力手段は前記サーバであることを特徴とする請求項１２に記載のテレビジョンシステム。
【請求項１４】
複数のチャンネルが受信可能であり、該複数のチャンネルには選局順が設定されるテレビジョン受像機であって、
前記各チャンネルの総選局時間を算出し、該総選局時間に基づいて選局順を設定する制御部を備えることを特徴とするテレビジョン受像機。
【請求項１５】
前記総選局時間の長い順に前記選局順が設定されることを特徴とする請求項１４に記載のテレビジョン受像機。
【請求項１６】
前記テレビジョン受像機の電源オン時に、前記総選局時間が最も長いチャンネルが選局されることを特徴とする請求項１４または１５に記載のテレビジョン受像機。
【請求項１７】
前記総選局時間は、１日における時間帯毎に算出されることを特徴とする請求項１４乃至１６のいずれか１項に記載のテレビジョン受像機。
【請求項１８】
前記１日における時間帯は、１週間における曜日毎に設定されることを特徴とする請求項１７に記載のテレビジョン受像機。
【発明の詳細な説明】
【技術分野】
【０００１】
本発明は、複数のテレビジョン受像機からなるテレビジョンシステム、及びこれに用いられるテレビジョン受像機、及びこのテレビジョン受像機におけるチャンネル選局順の設定方法に関する。
【背景技術】
【０００２】
テレビジョン受像機は、複数の放送局から発信された複数のチャンネルの放送用電波を選局して受信する。このチャンネル（以下、ＣＨ）は放送用電波の周波数、あるいは有料放送の種別によって決定される。利用者は、このＣＨを選局することで、所望のテレビ番組を視聴することができる。この選局は、リモコン送信機上にあるＣＨ番号の付されたキーを操作するか、もしくは「＋」「−」キー（アップダウンキー）のいずれかを操作によりなされる。例えば、アップダウンキーによる選局は、図６に示す表のように、各ＣＨを１次元の配列にしたデータ（ＣＨ配列表）が元になる。例えば、現在「地上波８」が選局されている場合に、「地上波４」に変更したい場合には「−」キーを２回操作する。また、同様に「有料１」に変更したい場合には、「＋」キーを５回操作する。ここで選局できるＣＨの総数は１２個であるが、この選局方法によって、「＋」「−」の２種類のキーで任意の放送局を選局できる。また、この場合には地上波放送と有料放送との区別を全く意識することなしに利用者はこれらを同様に選局できる。ＣＨ番号の付されたキーによりＣＨ選局を行う場合には、使用されていないＣＨに対応するキーは無駄となるのに対し、アップダウンキーを用いた場合にはこうした問題は発生しない。従って、アップダウンキーを用いたＣＨ選局は特に操作キーの総数が限られたリモコン送信機を用いる場合には好適である。
【０００３】
一方、利用者がＣＨ選局をする際には、どの放送局でどういう番組を放送しているかという認識が必要である。しかしながら、地域によって受信できる放送局は異なり、ある地域で放送されているテレビ番組が、他の地域ではこれと異なる周波数（ＣＨ）で放送されている場合もある。特に、ローカル局で放送されるテレビ番組の場合にはこの状況が多く発生する。従って、受信できるＣＨ（周波数）だけでなく、このＣＨで受信できる放送局の識別情報（放送局等の名称）も地域ごとに入手し、表示する必要がある。
【０００４】
このため、例えばＣＡＴＶ（ケーブルテレビ）用受信機において、この入手を自動的に行う方法が特許文献１に記載されている。この技術においては、放送局から発信されたテレテキスト信号にこの放送局に関するＣＨのチューニング情報を重畳させ、これを受信機が受信して解読し、自動的にこの放送局名を読み出す。この放送局名も表示させることによって、利用者は適切なＣＨを認識し、これを選局することができた。
【特許文献１】特開平８−３３６１１９号公報
【発明の開示】
【発明が解決しようとする課題】
【０００５】
しかしながら、テレビジョン受像機の中でも、特にホテル等で使用されるものは、利用される態様が一般家庭で使用されるものと異なる場合が多い。例えば、ホテルの利用客は旅行者である場合が多く、ホテルの所在地でどのＣＨが受信できるかについての知識を有さない場合が多い。また、その地域の放送局が利用客の自宅の地域におけるどの放送局に対応しているかについての知識も全く有さない場合が多い。この場合、所望のテレビ番組をどのＣＨ（放送局）で放送しているかが全く判断できず、所望のテレビ番組を放送しているＣＨを探し出すのに多数回のキー操作が必要となり、時間がかかる場合がある。
【０００６】
本発明はこのような状況に鑑みてなされたものであり、上記問題点を解決できるテレビジョンシステム、テレビジョン受像機を提供することを目的とする。
【課題を解決するための手段】
【０００７】
本発明のテレビジョンシステムは、複数のチャンネルが受信可能であり、該複数のチャンネルに選局順が設定されるテレビジョン受像機を用いるテレビジョンシステムであって、前記各チャンネル毎の総選局時間を算出する統計手段を具備し、前記総選局時間に基づいて前記選局順が設定されることを特徴とする。
本発明のテレビジョンシステムは、前記総選局時間の長い順に前記選局順が設定されることを特徴とする。
本発明のテレビジョンシステムは、前記テレビジョン受像機の電源オン時に、前記総選局時間が最も長いチャンネルが前記テレビジョン受像機において選局されることを特徴とする。
本発明のテレビジョンシステムにおいて、前記総選局時間は、１日における時間帯毎に算出されることを特徴とする。
本発明のテレビジョンシステムにおいて、前記１日における時間帯は、１週間における曜日毎に設定されることを特徴とする。
本発明のテレビジョンシステムは、前記テレビジョンシステムにおいて、前記統計手段は、前記テレビジョン受像機とネットワークを介して接続されるサーバであることを特徴とする。
本発明のテレビジョンシステムにおいて、前記サーバはターミナルボックスを介して前記テレビジョン受像機と接続されることを特徴とする。
本発明のテレビジョンシステムにおいて、前記テレビジョンシステムはホテルに設置され、前記テレビジョン受像機が前記ホテルにおける客室毎に設置されることを特徴とする。
本発明のテレビジョンシステムにおいて、前記総選局時間は前記ホテルにおける客室の種別毎に算出されることを特徴とする。
本発明のテレビジョンシステムにおいて、前記総選局時間は前記ホテルにおける利用客の属性情報に応じて算出されることを特徴とする。
本発明のテレビジョンシステムにおいて、前記属性情報には前記ホテルにおける利用客の年齢、性別、または住所のうちの少なくとも１種が含まれることを特徴とする。
本発明のテレビジョンシステムは、地域毎の放送局の系列関係を示すデータを保持し、客室の利用客の住所のデータより、前記放送局の系列関係を示すデータにおける前記利用客の住所が属する地域を判定し、前記ホテルの所在地と前記利用客の住所が属する地域との間の放送局の系列関係を示す系列放送局対応情報を出力する対応情報出力手段と、前記系列放送局対応情報を記憶する記憶手段と、前記テレビジョン受像機においてチャンネルが指定される際に、前記系列放送局対応情報より、前記チャンネルに対応する放送局と前記地域において系列関係にある放送局の識別情報である系列放送局識別情報を抽出する系列放送局検索手段とを具備し、前記テレビジョン受像機は、前記系列放送局識別情報を表示することを特徴とする。
本発明のテレビジョンシステムにおいて、前記対応情報出力手段は前記サーバであることを特徴とする。
本発明のテレビジョン受像機は、複数のチャンネルが受信可能であり、該複数のチャンネルには選局順が設定されるテレビジョン受像機であって、前記各チャンネルの総選局時間を算出し、該総選局時間に基づいて選局順を設定する制御部を備えることを特徴とする。
本発明のテレビジョン受像機は、前記総選局時間の長い順に前記選局順が設定されることを特徴とする。
本発明のテレビジョン受像機は、前記テレビジョン受像機の電源オン時に、前記総選局時間が最も長いチャンネルが選局されることを特徴とする。
本発明のテレビジョン受像機において、前記総選局時間は、１日における時間帯毎に算出されることを特徴とする。
本発明のテレビジョン受像機において、前記１日における時間帯は、１週間における曜日毎に設定されることを特徴とする。
【発明の効果】
【０００８】
本発明のテレビジョンシステム、テレビジョン受像機及び選局順の設定方法によれば、利用客が滞在している地域における放送局についての知識を有さない場合でも、短時間で容易に所望のチャンネルを選局することができる。
【発明を実施するための最良の形態】
【０００９】
（第１の実施の形態）
図１は、本発明の第１の実施の形態に係るテレビジョンシステムの構成を示す図である。このテレビジョンシステム１はホテルで用いられ、このシステムに用いられるテレビジョン受像機１０は、放送局から発せられた一般放送用電波を受信してテレビ番組をホテルの利用客に視聴させることと、これとは別系統の有線の有料放送とを受信して視聴させることができる。これらの内容の選択は利用客によるチャンネル（以下、ＣＨ）の選局によってなされる。ここで、一般放送と有料放送とを合わせた複数のＣＨが設定され、テレビジョン受像機１０にはサーバ４０経由で放送信号が受信されることになる。
【００１０】
このテレビジョンシステム１は、テレビジョン受像機１０、リモコン送信機２０、ターミナルボックス３０、サーバ４０、フロント端末５０を備える。ここで、テレビジョン受像機１０とターミナルボックス３０とは、ホテルの客室毎に備えられる。図１においては、客室１における構成例を示しているが、他の客室においても同様であり、各客室毎に設置された複数のテレビジョン受像機１０が各客室毎に設置されたターミナルボックス３０を介してサーバ４０に接続される。一方、フロント端末５０はホテルのフロントに設置され、ネットワークを介してサーバ４０に接続される。
【００１１】
このテレビジョンシステム１において、サーバ４０には、ターミナルボックス３０及びネットワークを介して各客室のテレビジョン受像機１０から各種のデータを取得することができる。このデータとしては、例えば、テレビジョン受像機１０が現在使用されているかどうか、あるいは現在どのチャンネルが選局されているか等がある。
【００１２】
また、サーバ４０には、フロント端末５０から、利用客の属性情報が入力される。この属性情報としては、例えば、利用客の性別、年齢、住所、自宅の電話番号等がある。
【００１３】
リモコン送信機２０には、複数の操作キーが設けられており、各客室において、利用客はこれを用いてこのテレビジョン受像機１０の制御をすることができる。特に、ＣＨの選局に関しては、「＋」「−」の２種類のキー（アップダウンキー）により、利用できるＣＨのいずれかを選局できる。リモコン送信機２０は、この選局による制御信号（ＣＨ選局信号）で赤外線を変調した赤外線信号を発信する。
【００１４】
ターミナルボックス３０は、サーバ４０とテレビジョン受像機１０との間のデータの授受においてデータを適正な型式に変換する機能と、テレビ放送用信号と有料放送用信号をテレビジョン受像機１０が利用できる型式に変換する機能を有する。
【００１５】
このテレビジョン受像機１０にテレビ放送用信号が入力される場合はこれを同調回路１１が受け、復調し、音声信号と映像信号とを作成する。有料放送用信号が入力する場合は、同調回路１１はＡＶ信号処理回路として機能し、やはり音声信号と映像信号とを作成する。どちらの場合も、音声信号はスピーカ回路１２で調整され、スピーカ１３から音声となって出力される。映像信号は映像処理回路１４で調整され、液晶表示部１５で映像として表示される。
【００１６】
このテレビジョン受像機１０がどの放送を受信するかは、利用客によるＣＨの選局によってなされる。このため、赤外線信号受光部１６はリモコン送信機２０から発せられた赤外線信号を受信してＣＨ選局信号を得る。ＣＨ選局信号はマイコン（制御部）１７に入力する。これを元にしてマイコン１７は同調回路１１を制御して、このＣＨを選局させる。また、マイコン１７はこのテレビジョン受像機１０における各種の制御を行う。例えば、このテレビジョン受像機１０で受信できるＣＨの選局順が設定されたＣＨ配列表を作成し、メモリ１８に記憶させる。また、同時に各ＣＨの識別情報（放送局名等）も記憶させる。
【００１７】
また、マイコン１７は、ＣＨが選局された際には、そのＣＨに対応する放送局名（識別情報）をＯＳＤ（Ｏｎ  Ｓｃｒｅｅｎ  Ｄｉｓｐｌａｙ）表示回路１９に出力する。ＯＳＤ表示発生回路１９はこれによる付加的な映像信号を作成して映像処理回路１４に出力し、前記の映像信号に重畳させて液晶表示部１５で表示させる。
【００１８】
このテレビジョン受像機１０においては、ＣＨの選局が、利用客にとって特に容易に行われる。これについて以下に詳細に説明する。
【００１９】
このテレビジョン受像機１０はホテルにおける複数の客室で使用される。この際、現在このテレビジョン受像機１０が使用されているか否か、及び使用されていればどのＣＨが選局されているかについてのデータが、マイコン１７から、ターミナルボックス３０を介してサーバ４０に入力される。このタイミングは任意であるが、例えば１分間隔とすることができる。これにより、分単位での各ＣＨの選局時間を算出することができる。
【００２０】
サーバ４０には、各客室からのこれらのデータが入力され、各客室で各ＣＨが選局されている時間を算出することができ、この統計処理を行う。すなわち、後述する総選局時間を算出する統計手段として機能する。
【００２１】
ここで、このテレビジョン受像機１０が受信できるＣＨは、地上波局が９局、有料放送が２局、コマーシャル専門チャンネルが１局の計１２局であるとする。また、この統計処理はある設定された時間帯別に行われ、ここでは１９：００〜２０：００、２０：００〜２１：００、２１：００〜２２：００の３種類で行うものとする。サーバ４０は、これらの時間帯において各ＣＨが選局され、視聴されている時間を各客室毎に求め、ある期間内のこの総和（総選局時間）を算出する。なお、この時間帯については任意に設定することができる。また、総和を算出する期間についても任意であり、例えば最近の１ヶ月の期間内とすることができる。
【００２２】
図２にこの計算を行った例を表にして示す。なお、各ＣＨがここで表示された順番は特に最適化されているものではない。また、この表の選局ＣＨにおける「地上波１」等は各ＣＨの識別情報の例示である。
【００２３】
例えば、「地上波１」では、１９：００〜２０：００における総選局時間が４１２６時間５２分となっており、２０：００〜２１：００における総選局時間は８０２時間５４分となっている。前者の場合は全てのＣＨの中で一番大きな値であり、この時間帯において最も人気があったＣＨとなっている。一方、後者の場合は３番目に人気があったＣＨとなる。同様に、他のＣＨ、他の時間帯でも総選局時間が算出され、その順位が求められる。
【００２４】
このテレビジョン受像機１０におけるＣＨ選局は、「＋」「−」キーの操作により行われる。この場合、ＣＨ選局には選局されるＣＨを１次元の配列にしたデータ（ＣＨ配列表）が用いられる。選局に際しては、例えば図６のＣＨ配列表が用いられる場合には、現在選局されているＣＨが「地上波８」の場合、２段上にある「地上波４」を選局するためには、「−」キーを２回操作する。３段下の「地上波３１」を選局するには「＋」キーを３回操作する。なお、最下段のＣＨが選局された状態から「＋」キーが操作された場合には最上段のＣＨが選局されるものとし、最上段のＣＨが選局された状態から「−」キーが操作された場合には最下段のＣＨが選局されるものとする。
【００２５】
この場合、利用客にとってのこの選局のし易さは、ＣＨ配列表における各ＣＨの順番（選局順）に大きく依存する。また、初期状態（テレビジョン受像機１０の電源投入時）において選局されているＣＨにも依存する。例えば、初期状態で選局されているＣＨとは異なる他のＣＨに利用客が変更する場合、他のＣＨの選局順と、初期状態で選局されているＣＨの選局順とが近い場合には、その選局は少ないキー操作で行うことができる。逆に、これらが離れていれば、利用客はアップダウンキーの多数回の操作をすることが必要になる。このテレビジョン受像機１０においては、この選局順が利用客にとって最適化される。この最適化は、前記の総選局時間に基づいて行われる。
【００２６】
このテレビジョン受像機１０において、マイコン１７は、このＣＨ配列表を作成するために、上記の総選局時間のデータの送信をターミナルボックス３０を介してサーバ４０に要求する。これにより、その時点の時刻が含まれる時間帯における前記の各ＣＨの総選局時間のデータを入手する。このタイミングは任意であるが、例えば、このテレビジョン受像機１０の電源がオンとされた時点で行うことができる。あるいは、前記の時間帯に応じて、その後にも一定時間間隔で行うこともできる。各時間帯の設定が図２の表のように１時間毎である場合には、１時間以下の間隔で行うことが好ましい。
【００２７】
マイコン１７が図２の表に示す総選局時間のデータを入手した場合、選局順を総選局時間の長い順番としたＣＨ配列表を作成し、メモリ１８がこれを記憶する。例えば、前記の総選局時間のデータを入手した時刻が１９：００〜２０：００の場合には、図３（ａ）に示すＣＨ配列表が、２０：００〜２１：００の場合には図３（ｂ）に示すＣＨ配列表が、２１：００〜２２：００の場合には図３（ｃ）に示すＣＨ配列表が作成され、記憶される。
【００２８】
また、特に電源がオンとされた場合（初期状態）には、マイコン１７は、ＣＨ配列表を作成した後に、ＣＨ配列表の中で選局順の順位が１位の、すなわち、最も総選局時間の長いＣＨを選局する信号を同調回路１１に出力する。これにより、例えばオンとされた時刻が１９：００〜２０：００の場合には「地上波１」のＣＨが初期状態として選局される。この場合、ＯＳＤ表示発生回路１９は、現在のＣＨの識別情報となる「地上波１」の表示信号を作成して映像処理回路１４に出力し、液晶表示部１５はこれを映像信号に重畳させて表示する。これにより、利用客は現在選局されているＣＨが「地上波１」であることを認識できる。このＣＨは、前記の総選局時間より、この時間帯においては最も選局される可能性が高いと認識されるＣＨである。
【００２９】
ただし、利用客はこのＣＨを選局することを望むとは限らない。その場合には、利用客は電源オン後に、「＋」キーか「−」キーを操作して所望のＣＨを選局する。この場合でも、このＣＨ配列表における選局順はこの時間帯において人気のある順となっているため、利用客が希望するＣＨの選局順は、初期状態となったＣＨの選局順（１番上）とは大きく離れていない可能性が高い。この場合には、少数回の「＋」キーの操作で所望のＣＨを選局することができる。人気のないＣＨ（選局順の大きなＣＨ）を選局するためには多数回のキー操作が必要になるが、このＣＨが選局される可能性は低い。すなわち、このテレビジョン受像機、あるいはこの選局順の設定方法においては、選局される可能性の高いＣＨの選局順を予め高く設定することにより、ＣＨの選局に要する操作回数を少なくしている。
【００３０】
新たにＣＨが選局された場合、マイコン１７は、この新たなＣＨの識別情報を表示する信号をＯＳＤ表示発生回路１９に作成させ、液晶表示部１５に表示させる。これにより、例えば新たに「地上波３」が選局された場合には「地上波３」との表示がなされ、利用客は、このＣＨが選局されたことを認識することができる。
【００３１】
このホテルの利用客が旅行者である場合、このホテルの所在地における放送局についての知識を全く有さない場合が多い。このため、選局される可能性の高いＣＨを初期に表示させ、同様に選局される可能性の高いＣＨの選局順を予め高くしておくことにより、利用客は、所望のＣＨを短時間で容易に見つけることができる。こうした効果は、特にＣＨの総数が多い場合に顕著である。
【００３２】
また、ここで選局できるＣＨは、図２に示すように、地上波で９、有料放送で２、コマーシャルＣＨで１あり、これらの信号は別系統から同調回路１１に入力していても、これらを全く区別すること無しにその選局をアップダウンキーのみを用いて容易に行うことができる。ただし、例えば有料放送のＣＨ数が多い場合には、地上波や有料放送といった放送の種別毎にＣＨ配列表を作成することもできる。
【００３３】
なお、一般に、テレビ番組は週単位で放送されることが多い。このため、前記の統計処理は時間帯毎、かつ１週間における曜日毎に行われることが好ましい。この場合、現在の曜日と時刻に該当する総選局時間のデータをサーバ４０が保持し、マイコン１７はこれを入手する。同様に、使用の態様によってこの統計処理を任意の設定で行うことができる。
【００３４】
また、前記の統計処理においては、ホテルにおける全客室の総和を算出していたが、これを各客室毎に行ってもよい。この場合には、客室毎に個別のＣＨ配列表が作成される。特にこの場合には、サーバ４０がこの処理を行う必要はなく、マイコン１７とメモリ１８を総選局時間の統計手段とすることも可能である。この場合、ターミナルボックス３０やサーバ４０は不要であり、このテレビジョン受像機１０自身が上記の機能を有するものとしてもよい。
【００３５】
また、ホテルの客室の種別毎にこの統計処理を行ってもよい。例えば、客室の宿泊料金や、シングル、ダブル等による種別が可能である。これにより、利用客の客層毎に最適化されたＣＨ配列表が作成される。
【００３６】
また、このテレビジョンシステム１においては、サーバ４０には、フロント端末５０から、利用客の属性情報が入力する。この属性情報に応じて前記の統計処理を行うことも可能である。例えば、この属性情報のうち、性別、年齢、住所のうち少なくとも１種により統計処理を行い、これに応じたＣＨ配列表を作成することもできる。また、住所の属する地域は自宅の電話番号の市外局番に応じて識別可能であるため、自宅の電話番号の市外局番に応じた統計処理を行うこともできる。
【００３７】
また、上記の例では総選局時間の一番長いＣＨの選局順を１としたが、これに限られるものではない。例えば、「有料放送１」の総選局時間が一番長い場合であっても、これが電源オン時に選局されれば、利用客は意に反した課金をされることがある。従って、この場合、有料放送以外で一番総選局時間の長いＣＨの選局順を１とすることが好ましい。また、例えば総選局時間の一番長いＣＨをＣＨ配列表における中央付近の選局順（図３における選局順６）とし、二番目に長いＣＨをその一つ下側（同、７）、三番目に長いＣＨをその一つ上側（同、５）、四番目に長いＣＨをその二つ下側（同、８）等と設定することもできる。この場合にも、初期状態において選局されるＣＨは、総選局時間の一番長いＣＨとすることが好ましい。こうした設定によってもこれらのＣＨの選局を「＋」キーあるいは「−」キーの少数回の操作で容易に行うことができる。同様に、総選局時間に基づいた上でこの設定は適宜行うことができる。
【００３８】
なお、各客室におけるテレビジョン受像機１０の中のマイコン１７がＣＨ配列表を作成する場合について記載したが、サーバ４０がこれを同様に作成して、各テレビジョン受像機１０に送信することもできる。また、ターミナルボックス３０を総選局時間を算出する統計手段とすることも可能である。
【００３９】
（第２の実施の形態）
第２の実施の形態に係るテレビジョンシステムの構成は、図１に示す第１の実施の形態に係るテレビジョンシステムと同一である。ここでは、サーバ４０は系列放送局対応情報を出力する対応情報出力手段としても機能し、利用客によるＣＨの選局をより容易にする。
【００４０】
サーバ４０は、各地域毎の放送局の系列関係を示すデータを予め保持している。このデータは、このホテルの所在地において受信できる放送局と、他の地域において受信できる放送局との系列関係を示す対応表である。この対応表の例を図４に示す。ここでは、地域１と地域２が設定されており、例えば、地域１を関東甲信越地方、地域２を関西地方とすることができる。ここで、地域１と地域２は例示であり、実際には日本における各地方がもれなく地域１〜地域Ｎとして設定されていることが好ましい。ただし、この地域とは、地理上の分類ではなく、放送ネットワークに基づく分類によるものであることが好ましい。
【００４１】
この表において、このテレビジョン受像機１０が受信できるＣＨである「地上波１」は、このホテルの所在地においては「ａ放送」に該当する。すなわち、「地上波１」では「ａ放送」からの放送用電波を受信する。一方、この「ａ放送」は地域１における「Ａ放送」と地域２における「Ｈ放送」とは系列局（ネットワーク局）の関係になっている。すなわち、地域１において「Ａ放送」で放送されるテレビ番組の大半はこのホテルの所在地においては「ａ放送」で放送され、地域２において「Ｈ放送」で放送されるテレビ番組についても同様である。
【００４２】
ここで、サーバ４０には、フロント端末５０から入力された利用客の住所のデータが入力される。
【００４３】
サーバ４０は、利用客の住所が前記の対応表における地域１〜地域Ｎのうちのどこに属しているかを判定する。
【００４４】
ここで、テレビジョン受像機１０の電源がオンとなった際に、マイコン１７は、ターミナルボックス３０を介してサーバ４０に系列放送局対応情報を要求する。
【００４５】
この要求があった場合、サーバ４０は、各地域毎の放送局の系列関係を示すデータから、このホテルの所在地と利用客の住所が属する地域との間の放送局の系列関係を示す系列放送局対応情報を抽出し、ネットワークを介してターミナルボックス３０に出力する。ターミナルボックス３０はこれをテレビジョン受像機１０におけるマイコン１７に出力する。
【００４６】
ここで、系列放送局対応情報においては、ホテルの所在地における放送局名（放送局識別情報）と、利用客の住所が属する地域においてこれらの放送局と系列関係にある放送局名（系列放送局識別情報）とが対応付けられている。例えば、利用客の住所が属する地域が地域１であると判定された場合には、「地上波１」〜「地上波８」については、図５（ａ）の表に示す情報を出力する。ここで、「ａ放送」「ｂ放送」等が放送局識別情報であり、これらに対応する「Ａ放送」、「Ｂ放送」等が系列放送局識別情報となる。同様に、利用客の住所が属する地域が地域２であると判定された場合には、図５（ｂ）の表に示す情報を出力する。なお、ここでは「地上波１」〜「地上波８」につき例示したが、ホテルの所在地において受信できる全てのＣＨについて行う。ただし、利用客の住所が属する地域において該当する系列放送局がない場合には、系列放送局識別情報はブランクとする。有料放送についても同様である。また、例えば利用客が外国人である場合等、その住所が属する地域が前記の各地域毎の放送局の系列関係を示すデータの中に無い場合には、系列放送局識別情報は全てブランクとする。
【００４７】
マイコン１７は、この系列放送局対応情報をメモリ１８（記憶手段）に記憶させる。
【００４８】
マイコン１７はこの系列放送局対応情報から系列放送局識別情報を抽出する系列放送局検索手段としても機能する。すなわち、第１の実施の形態に係る場合と同様に、「＋」キーか「−」キーが操作された場合には、これに応じた選局の信号を同調回路１１に出力するが、同時に、選局されたＣＨにおける放送局識別情報及び系列放送局識別情報をメモリ１８（記憶手段）から読み出し、ＯＳＤ表示発生回路１９に出力し、表示させる。すなわち、ＯＳＤ表示発生回路１９は、これらを表示する信号を作成し、映像処理回路１４に出力し、液晶表示部１５がこれを表示する。
【００４９】
すなわち、この利用客の住所が地域１に属する場合には、例えば「地上波１」が選局された場合には、「地上波１： 放送（Ａ放送）」との表示がなされ、「地上波４」が選局された場合には、「地上波４：ｃ放送（Ｃ放送）」との表示がなされる。
【００５０】
この利用客の住所が地域２に属する場合には、例えば「地上波１」が選局された場合には、「地上波１： 放送（Ｊ放送）」との表示がなされ、「地上波４」が選局された場合には、「地上波４：ｃ放送（Ｈ放送）」との表示がなされる。
【００５１】
なお、これらの表示においては、ＣＨの識別情報は特に表示する必要はない。すなわち、地域１の場合には「 放送（Ａ放送）」、「ｃ放送（Ｃ放送）」、地域２の場合には「 放送（Ｊ放送）」、「ｃ放送（Ｈ放送）」と表示することもできる。あるいは、最も簡易的には、系列放送局識別情報（「Ａ放送」等）のみを表示することもできる。
【００５２】
なお、上記の例は系列放送局が存在する場合の通常のテレビジョン放送の場合であり、系列放送局が無い場合や有料放送の場合には系列放送局識別情報はブランクであるため、ＣＨの識別情報と放送局識別情報、あるいは放送局識別情報のみを表示させる。例えば「有料１」のみを表示させることができる。
【００５３】
これにより、選局される可能性の高いＣＨの選局順が高く設定されていることにより選局が容易となることに加えて、利用客は自宅においてテレビ番組を視聴する場合と同様の感覚でＣＨを選局することができる。このため、特に容易に所望のＣＨを選局することができる。
【００５４】
なお、前記の例では、利用客の住所が属する地域の判定を利用客の住所のデータがサーバ４０に入力した直後に行い、系列放送局対応情報の作成及び出力をテレビジョン受像機１０の電源オン直後に行うものとしたが、これらに限られるものではない。例えば、前者、後者共にテレビジョン受像機１０の電源オンとした直後に行うこともできる。また、利用客の住所のデータがサーバ４０に入力した時点でマイコン１７等に電力が供給されていれば、前者、後者共に利用客の住所のデータがサーバ４０に入力した直後に行うこともできる。
【００５５】
また、前記の例では、地域の判定に利用客の住所のデータを用いたが、この代わりに、利用客の自宅の電話番号における市外局番から地域の判定を行うことも可能である。この場合、前記の放送局の系列関係を示すデータにおける各地域も、この市外局番を元に設定しておくことが好ましい。
【００５６】
なお、この実施の形態においても、上記の処理を各部屋毎に行うことが可能である。この場合には、上記の処理におけるサーバ４０の機能はマイコン１７が行い、各地域毎の放送局の系列関係を示すデータはメモリ１８が予め保持する。ターミナルボックス３０やサーバ４０を不要とし、このテレビジョン受像機自身が上記の機能を有するものとしてもよい。この場合、フロント端末５０からテレビジョン受像機が利用客の住所のデータを入手する。あるいは、このテレビジョン受像機の利用客の住所や自宅の電話番号を入力させる機能をテレビジョン受像機自身が有すれば、テレビジョン受像機が単独で上記の機能を全て有するものとすることができる。
【００５７】
なお、第１の実施の形態、第２の実施の形態共に、あるＣＨが選局された場合に、該当ＣＨについての識別情報や放送局識別情報等が表示されるとしたが、利用客による選局をより容易とするために、全てのＣＨについての情報を同時に表示させてもよく、例えば図３（ａ）〜（ｃ）の表の内容をそのまま液晶表示部に表示させてもよい。また、第２の実施の形態の場合には、ＣＨ配列表に放送局識別情報と系列放送局識別情報を加えた形で、例えば利用客の住所が地域１の場合には図５（ａ）、利用客の住所が地域２の場合には図５（ｂ）の表の内容を液晶表示部に表示させてもよい。これらの場合は、現在選局されているＣＨの欄を強調表示させることが好ましい。これにより、ＣＨの選局がより容易となる。ただし、この場合はこれらの表示をさせるか否かの選択はリモコン送信機の操作により行われることが好ましい。
【００５８】
なお、前記の通り、第１の実施の形態、第２の実施の形態におけるサーバの機能をマイコンが有すれば、同様の機能を単体のテレビジョン受像機で実現することが可能である。こうした場合には、ホテルだけでなく、一般家庭においても、同様にＣＨの選局が容易なテレビジョン受像機となる。ただし、意識しないうちに選局順が変わることを利用者が望まない場合もあるため、この場合には上記の機能を利用者の設定によりオンオフできるものとすることが好ましい。
【図面の簡単な説明】
【００５９】
【図１】本発明の第１の実施の形態に係るテレビジョンシステムの構成を示す図である。
【図２】本発明の第１の実施の形態において、サーバが各チャンネル毎に行う処理内容を例示する表である。
【図３】本発明の第１の実施の形態に係るテレビジョンシステムにおいて、各時間帯毎に用いるＣＨ配列表の例である。
【図４】本発明の第２の実施の形態に係るテレビジョンシステムにおいて用いられる放送局の対応表（放送局の系列関係を示すデータ）の例である。
【図５】本発明の第２の実施の形態に係るテレビジョンシステムにおいて用いられる系列放送局対応情報の例である。
【図６】従来のテレビジョン受像機において用いられるＣＨ配列表の例である。
【符号の説明】
【００６０】
１  テレビジョンシステム
１０  テレビジョン受像機
１１  同調回路又はＡＶ信号処理回路
１２  スピーカ回路
１３  スピーカ
１４  映像処理回路
１５  液晶表示部
１６  赤外信号受光部
１７  マイコン（制御部）
１８  メモリ（記憶手段）
１９  ＯＳＤ表示発生回路
２０  リモコン送信機
３０  ターミナルボックス
４０  サーバ
５０  フロント端末  
【図１】
2008219260.tif 000003
【図２】
2008219260.tif 000004
【図３】
2008219260.tif 000005
【図４】
2008219260.tif 000006
【図５】
2008219260.tif 000007
【図６】
2008219260.tif 000008